(57)【要約】【課題】ロックの解除を容易にでき、容易にケージから取り外すことのできる安価なロック機構付きパッケージを提供する。【解決手段】ケージ内に挿抜自在に挿入されるパッケージ本体７と、パッケージ本体７に枢支された操作レバー１４と、操作レバー１４に枢支軸１３から偏心して回動可能に連結され挿抜方向と交差する方向に突起する爪部１５を有するロック部材１１と、パッケージ本体７に設けられ操作レバー１４を回動されたときに爪部１５をパッケージ本体７から出没させるようにロック部材１１を案内するスライドガイド１６とを備えたものである。【選択図】        図４
2004271950.tif 000002
【特許請求の範囲】
【請求項１】
ケージ内に挿抜自在に挿入されるパッケージ本体と、該パッケージ本体に枢支された操作レバーと、該操作レバーに枢支軸から偏心して回動可能に連結され挿抜方向と交差する方向に突起する爪部を有するロック部材と、上記パッケージ本体に設けられ上記操作レバーを回動されたときに上記爪部をパッケージ本体から出没させるように上記ロック部材を案内するスライドガイドとを備えたことを特徴とするロック機構付きパッケージ。
【請求項２】
上記スライドガイドは、上記ロック部材に設けられロック部材の支点を形成するピンと、上記パッケージ本体に形成され上記ピンのスライド可動な方向を規制するガイド溝とからなる請求項１記載のロック機構付きパッケージ。
【請求項３】
上記操作レバーは、上記パッケージ本体の抜き取り方向前端部に俯仰自在に枢支され、上記前端部の外周形状に沿う門型に形成された請求項１又は２記載のロック機構付きパッケージ。
【請求項４】
上記パッケージ本体は抜き取り方向前端部に光ファイバコネクタを挿抜するためのソケットを複数横並びに形成され、上記操作レバーは上記ソケット間に枢支された請求項１又は２記載のロック機構付きパッケージ。
【請求項５】
上記操作レバーは、直線状に延びて形成されると共に中間を枢支され、一端側に上記ロック部材を連結されると共に他端側に手動操作のためのハンドル部を形成された請求項１〜４いずれかに記載のロック機構付きパッケージ。
【請求項６】
上記操作レバーは、上記枢支軸方向に延びる手動操作のためのハンドル部を有する請求項１〜５いずれかに記載のロック機構付きパッケージ。
【請求項７】
上記操作レバーは、上記ハンドル部を上記パッケージ本体に当てて回動を規制されるように上記パッケージ本体に枢支された請求項１〜６いずれかに記載のロック機構付きパッケージ。
【発明の詳細な説明】
【０００１】
【発明の属する技術分野】
本発明は、光送受信モジュールなどの光通信用パッケージに係り、ケージに対して交換可能に取り付けられる光通信用のロック機構付きパッケージに関するものである。
【０００２】
【従来の技術】
長距離高速光通信などに使用する光送受信モジュールは、送信用光素子と受信用光素子とを１つのパッケージに収容したものである。また、光送受信モジュールは、光信号や電気信号の変調、増幅、補償或いは安定化のための電気素子をも上記パッケージに収容している。この光送受信モジュールと外部伝送路としての光ファイバとを接続するために、光素子に通じる開口部をパッケージに形成し、この開口部に光ファイバの端末に取り付けられている光ファイバコネクタを挿入するようにした、いわゆるリセプタクルタイプの光送受信モジュールがある。
【０００３】
多数の光ファイバを集中配線する通信機器では、多数の光送受信モジュールの開口部をパネルに整列配置することで、任意の開口部に任意の光ファイバコネクタを挿入できるように配慮してある（本発明の図１１参照）。パネルにおける光送受信モジュール開口部の配置をより集約すると共に通信機器内部の配線を簡素にするため、基板の端部に光送受信モジュールを整列配置し、各々の開口部がパネルの各窓から露出するよう、上記基板を通信機器内に設置するのが望ましい。
【０００４】
一方、光送受信モジュール内の光素子や電気素子に不具合が生じたときや、通信仕様（光波長や変調方式など）を相手と整合させたいときなど、光送受信モジュールをアセンブリ交換して対応したい場合がある。このため、図３２及び図３３に示すように、基板７０上には光送受信モジュール（図示せず）のパッケージ７１を機械的に保持するためのケージ７２が設けられ、ケージ７２を介して基板７０に光送受信モジュールを着脱できるようになっている。
【０００５】
ケージ７２は、一端（前端）を開放された前後に長い箱型に形成されており、前端からパッケージ７１を挿抜できるようになっている。電気的には、パッケージ７１の後端に接続端子群（図示せず）を形成し、基板７０上にはその相手方となる接続端子群（図示せず）を配置しておくことで、パッケージ７１をケージ７２に挿入したとき、接続が図られるようになっている。これにより、パネルの窓からパッケージ７１を挿抜することができ、通信機器を分解することなく光送受信モジュールを交換できるようになっている。
【０００６】
ケージ７２とパッケージ７１には、互いに係止しあうための雌雄ロック機構７３，７４がそれぞれ設けられている。雌側ロック機構７４は、ケージ７２の底面７５に前端から後方へ延びる２本の切り込み７６を形成し、これら切り込み７６の間に形成された板バネ７７と、板バネ７７に三角形に開口するように形成された係合穴７８とからなる。板バネ７７の前端には若干の反り７９が形成されている。雄側ロック機構７３は、係合穴７８に嵌め込むための突起（爪部）をパッケージ７１の底面（図示せず）に設けてなるものである。
【０００７】
そして、パッケージ７１には、通信機器のパネル外からアクセスしてロックを解除するためのリリース機構８０が設けられている。リリース機構８０は、パッケージ７１の前部に板バネ７７を押し下げるためのスライドブロック８１を前後方向にスライド可能に設けてなるものである。スライドブロック８１は、後端に板バネ７７を押し下げるためのテーパ面８２を有する。図３４に示すように、スライドブロック８１は、後方へスライドすることでテーパ面８２で板バネ７７を押し下げ、係合穴７８を雄側ロック機構７３たる突起から抜くようになっている。
【０００８】
なお、図３２、図３３及び図３４は、説明を分かりやすくするために、スライドブロック８１の厚みや板バネ７７の反り具合などを強調した記載となっているが、実際の板バネ７７や突起は基板７０に当たらない寸法に設定されている。
【０００９】
また、図３６に示すパッケージ９０は、特許文献１に記載されたものである。このパッケージ９０は、光ファイバコネクタを挿抜するためのソケット（図示せず）を有しケージ９１内に挿抜自在に挿入されるパッケージ本体９２と、パッケージ本体９２に揺動自在に設けられた梃子部材９３と、梃子部材９３の一端に設けられケージ９１側に出没する爪９４と、梃子部材９３の他端側に係合され爪９４をパッケージ本体９２側に引っ込めるように梃子部材９３を揺動させる操作レバー９５とを備えて構成されている。パッケージ９０はケージ９１に挿入されることで梃子部材９３の他端側をケージ９１に取り付けられたルーフバネ９６に当て、ルーフバネ９６の力で爪９４をケージ９１側に突出させるようになっている。
【００１０】
なお、ケージの形状（寸法やラッチの位置）は、各メーカ共通の規格により規定されている。
【００１１】
【特許文献１】
米国特許第６４３９９１８Ｂ１号明細書（第１図、第３Ｂ図、第４図）
【００１２】
【発明が解決しようとする課題】
ところで、パネルにおける開口部の配置を集約するために、開口部は上下多段に配置するのが望ましく、開口部の上下間隔はできるだけ小さくすることが望ましい。
【００１３】
しかしながら、図３２、図３３及び図３４に示すパッケージ７１は上下間隔を小さく設定すると、図３５に示すようにスライドブロック８１が下段のパッケージ７１に接近しすぎ、指先（参考のため図示）でスライドブロック８１を所定のロック解除位置まで押し込むのが困難となってしまう課題があった。また、パッケージ７１を前方へ引き抜くには、パッケージ７１の前部を指でつまんで行うが、パッケージ７１の上下間隔や左右間隔が狭くなると困難になってしまう課題があった。
【００１４】
また、図３６に示すパッケージ９０では上下に隣り合うケージ９１のルーフバネ９６が操作レバー９５の近傍に位置されることから指先で操作レバー９５を引っ掛けるのは困難であるという課題があった。これを解消するために上下に隣り合うパッケージ９０同士を背中合わせに配置する技術が開示されているが、上段と下段とで光ファイバコネクタ（図示せず）が裏返しになってしまい、配線作業がやりにくくなってしまう。
【００１５】
そこで、本発明の目的は、上記課題を解決し、パッケージ同士を背中合わせに配置しなくともロックの解除を容易にでき、容易にケージから取り外すことのできる安価なロック機構付きパッケージを提供することにある。
【００１６】
【課題を解決するための手段】
上記目的を達成するために本発明は、ケージ内に挿抜自在に挿入されるパッケージ本体と、該パッケージ本体に枢支された操作レバーと、該操作レバーに枢支軸から偏心して回動可能に連結され挿抜方向と交差する方向に突起する爪部を有するロック部材と、上記パッケージ本体に設けられ上記操作レバーを回動されたときに上記爪部をパッケージ本体から出没させるように上記ロック部材を案内するスライドガイドとを備えたものである。
【００１７】
操作レバーを回動させるだけでケージとパッケージのロック解除を容易にでき、ケージからパッケージを容易に取り外すことができる。
【００１８】
上記スライドガイドは、上記ロック部材に設けられロック部材の支点を形成するピンと、上記パッケージ本体に形成され上記ピンのスライド可動な方向を規制するガイド溝とで構成するとよい。
【００１９】
そして、上記操作レバーは、上記パッケージ本体の抜き取り方向前端部に俯仰自在に枢支され、上記前端部の外周形状に沿う門型に形成されるとよい。
【００２０】
また、上記パッケージ本体は抜き取り方向前端部に光ファイバコネクタを挿抜するためのソケットを複数横並びに形成され、上記操作レバーは上記ソケット間に枢支されてもよい。
【００２１】
またさらに、上記操作レバーは、直線状に延びて形成されると共に中間を枢支され、一端側に上記ロック部材を連結されると共に他端側に手動操作のためのハンドル部を形成されたものであってもよい。
【００２２】
そして、上記操作レバーは、上記枢支軸方向に延びる手動操作のためのハンドル部を有するとよい。
【００２３】
また、上記操作レバーは、上記ハンドル部を上記パッケージ本体に当てて回動を規制されるように上記パッケージ本体に枢支されるとよい。
【００２４】
【発明の実施の形態】
本発明の好適実施の形態を添付図面に基づいて詳述する。
【００２５】
図１１に示すように、ロック機構付きパッケージ１を取り付ける通信機器２は箱型シャーシ３の前面をフランジ付きパネル４にしたもので、パネル４にはパッケージ１を挿入するための窓５が縦横に複数列形成されている。箱型シャーシ３内には、窓５に位置を合わせるように複数のケージ（図示せず）を整列配置した基板（図示せず）が上下に重ねて収容されている。ケージと基板は上述した従来技術と同じものである。以降、ケージと基板については同符号を付し、説明を省く。
【００２６】
図８に示すように、パッケージ１は、ケージ７２内に挿抜自在に挿入されるパッケージ本体７と、パッケージ本体７に設けられケージ７２の雌側ロック機構７４にロックされる雄側ロック機構９とを備えて構成されている。
【００２７】
図１、図３、図４及び図５に示すように、パッケージ本体７は、挿抜方向（前後方向）に長い略直方体状に形成されており、前方へ向けて開口する左右一対のソケット１０を有する。ソケット１０の一方は、送信側の光ファイバコネクタ（図示せず）を接続するためのものであり、他方は受信側の光ファイバコネクタ（図示せず）を接続するためのものである。
【００２８】
また、図１、図４、図６及び図７に示すように、パッケージ本体７の底部には、後述するロック部材１１を前後上下にスライド可能に収容するためのロック部材収容溝１２が形成されている。具体的には、ロック部材収容溝１２は、一対のソケット１０間に位置されており、前端を開放されている。
【００２９】
雄側ロック機構９は、パッケージ本体７に枢支軸１３を介して枢支された操作手段たる操作レバー１４と、操作レバー１４に枢支軸１３から偏心して回動可能に連結され挿抜方向と交差する方向に突起する爪部１５を有するロック部材１１と、パッケージ本体７に設けられ操作レバー１４を回動されたときに爪部１５をパッケージ本体７から出没させるようにロック部材１１を案内するスライドガイド１６とを備えて構成されている。
【００３０】
操作レバー１４は、パッケージ本体７の前端部（抜き取り方向側の端部）１７の外周形状に沿う門型に形成されており、前端部１７に俯仰自在に枢支されている。具体的には、操作レバー１４は、前端部１７下部の両側に幅方向に延びる枢支軸１３回り回動可能に支持された一対のアーム部１８と、これらアーム部１８同士を連結するように枢支軸１３方向に延びて形成され手動操作を受けるためのハンドル部１９とからなる。
【００３１】
アーム部１８は、枢支軸１３から径方向に延びてハンドル部１９に連なる入力腕２０と、枢支軸１３から径方向に、かつ、入力腕２０に対して交差する方向に延び後述する連結軸２１を介してロック部材１１に連結される出力腕２２とからなる。
【００３２】
入力腕２０は、パッケージ本体７の前端に沿って起立する姿勢から抜き取り方向に倒伏する姿勢まで略９０°往復回動可能となっている。出力腕２２は、入力腕２０が起立されたとき抜き取り方向に倒伏された状態となるように入力腕２０との相対位相を決定されており、入力腕２０が前方へ回動されることで下降しながら後方へ回動されるようになっている。また、出力腕２２は回動先端をパッケージ本体７から常に突出させるように形成されており、出力腕２２の回動先端間には、枢支軸１３と平行に延びる連結軸２１が掛け渡して設けられている。
【００３３】
ロック部材１１は、前後に長く形成されており、一端を連結軸２１の中間位置に連結軸２１回り回動可能に連結されている。ロック部材１１の他端には、ケージ７２の係合穴７８に挿入される爪部１５が下方（ケージ７２側）に突起するように形成されている。
【００３４】
図２及び図６に示すように、スライドガイド１６は、ロック部材１１に設けられロック部材１１の支点を形成するピン２３と、パッケージ本体７に形成されピン２３のスライド可動な方向を規制するガイド溝２４とからなる。ピン２３は、ロック部材１１の前後方向の中間位置から両側に突出するように設けられている。ガイド溝２４は、パッケージ本体７のロック部材収容溝１２の両側壁にピン２３をスライド可能に収容する溝を形成してなるものである。ガイド溝２４は、ピン２３の前後方向の移動を許容しつつ後方へ向かうにつれてピン２３を上昇させるように傾斜して形成されており、ロック部材１１の前後方向の移動に応じてピン２３を昇降させ、ロック部材１１の後側を上下に振るようになっている。
【００３５】
次に本実施の形態の作用を述べる。
【００３６】
図６、図８及び図１１に示すように、ケージ７２内にロックされたパッケージ１をケージ７２から取り外す場合、操作レバー１４のハンドル部１９の上に指先を掛け、前方へ引く。ハンドル部１９はパッケージ１の全幅に渡って延びているため、様々な角度から指先を掛けることができ、さらに、ハンドル部１９の周囲に操作を邪魔をするものがないため、容易に指先を掛けることができる。図７及び図９に示すように、起立されていた操作レバー１４の入力腕２０は枢支軸１３を中心に前方へ倒れるように回動し、前方へ延びていた出力腕２２は枢支軸１３を中心に下方へ回動する。連結軸２１は出力腕２２と共に回動し、ロック部材１１の前端を下げながら後方へ押す。
【００３７】
ロック部材１１は、ピン２３をガイド溝２４に沿わせながら後方へスライドし、ピン２３は斜め上方へ案内される。すなわち、ロック部材１１は前端を下降させながら前後方向の中間を上昇させる。これにより、爪部１５は後方へ移動しながら上昇し、係合穴７８から外れる。そして、操作レバー１４の入力腕２０が完全に（略水平に）倒れ、抜き取り方向に向いたら、図１０に示すようにハンドル部１９をそのまま前方へ引く。これによりケージ７２からパッケージ１を容易に抜き取ることができる。
【００３８】
ケージ７２にパッケージ１を装着するときは、予め操作レバー１４を起立させ、ケージ７２内にパッケージ１を後端側から挿入する。
【００３９】
図７に示すように、前方に倒れた操作レバー１４を起立させるように回動させると、略鉛直下方を向いていた操作レバー１４の出力腕２２が前方へ回動し、ロック部材１１を前方へ引く。ロック部材１１は、ピン２３をガイド溝２４に沿わせながら前方へスライドし、ピン２３は斜め下方へ案内される。これにより、爪部１５は前方へ移動しながら下降し、係合穴７８内に入る。そして、操作レバー１４は完全に起立すると、ハンドル部１９をパッケージ本体７に当てて係止される。
【００４０】
このように、ケージ７２内に挿抜自在に挿入されるパッケージ本体７と、パッケージ本体７に枢支された操作レバー１４と、操作レバー１４に枢支軸１３から偏心して回動可能に連結され挿抜方向と交差する方向に突起する爪部１５を有するロック部材１１と、パッケージ本体７に設けられ操作レバー１４を回動されたときに爪部１５をパッケージ本体７から出没させるようにロック部材１１を案内するスライドガイド１６とを備えてパッケージ１を構成したため、ケージ７２とパッケージ１とのロック解除を容易にでき、パッケージ１をケージ７２から容易に取り外すことができる。
【００４１】
また、ロック部材１１に設けられロック部材１１の支点を形成するピン２３と、パッケージ本体７に形成されピン２３のスライド可動な方向を規制するガイド溝２４とでスライドガイド１６を構成したため、パッケージ１を簡単な構造にでき、安価に製作できる。
【００４２】
そして、操作レバー１４は、パッケージ本体７の前端部１７に俯仰自在に枢支され、前端部１７の外周形状に沿う門型に形成されるものとしたため、操作レバー１４に指先を容易に掛けることができ、パッケージ１のロック解除を容易に行うことができる。
【００４３】
また特に、操作レバー１４は、枢支軸１３方向に延びるハンドル部１９を有し、光ファイバコネクタの挿抜経路上を交差するように回動してロックを解除するようになっているため、光ファイバコネクタを装着した状態での誤ったロック解除を防ぐことができる。
【００４４】
他の実施の形態について述べる。
【００４５】
図１２〜図２１に示すパッケージ１は上述のパッケージ１の操作レバー１４の形状を変更すると共に、操作レバー１４の変更に対応するようにロック部材１１及びパッケージ本体７の形状を変更したものである。上述のパッケージ１と同様の構成・作用効果については説明を省き、相違する点について説明する。
【００４６】
図１２はパッケージ３０を下方から見上げた斜視図であり、図１３は雄側ロック機構３１を上方から見下ろした斜視図であり、図１４は図１２のパッケージ３０を上方から見下ろした斜視図である。
【００４７】
図１２及び図１３に示すように、操作レバー３２は、パッケージ本体３３に形成された一対のソケット１０間に幅方向に延びる軸（枢支軸）３４回り回動可能に支持されたアーム部３５と、アーム部３５の回動先端から枢支軸３４方向へ延び手動操作を受けるためのハンドル部３６とからなり、正面視Ｔ字状に形成されている。
【００４８】
アーム部３５は、ハンドル部３６に接続される一端をパッケージ本体３３の上方に位置させたとき他端を枢支軸３４の前方へ延ばすように形成されており、長手方向の中間を枢支軸３４に支持されている。具体的には、アーム部３５は側面視Ｌ字型に屈曲されており、枢支軸３４から一端側へ延びる入力腕３７は、パッケージ本体３３の前端に沿って起立する姿勢から抜き取り方向に倒伏する姿勢まで略９０°往復回動可能となっている。枢支軸３４から他端側へ延びる出力腕３８は、入力腕３７が前方へ回動されることで下降しながら後方へ回動されるようになっており、他端にロック部材３９を回動可能に連結するようになっている。また特に、アーム部３５は屈曲点の一端側を枢支軸３４に支持されており、入力腕３７を起立させたときに前後に延びるロック部材３９と枢支軸３４とが干渉しないようになっている。
【００４９】
ハンドル部３６は、パッケージ本体３３の略全幅に渡って延びるように長尺に形成されており、様々な角度から指先を掛けられるようになっている。
【００５０】
ロック部材３９は、アーム部３５の他端を両側から挟むように前端部を二股に形成されており、幅方向に延びる連結軸４０を介してアーム部３５の他端と回動自在に連結されるようになっている。
【００５１】
図１２、図１４、図１５及び図１６に示すように、パッケージ本体３３は、前端にアーム部３５を揺動可能に収容するためのアーム部収容溝４１を有する。アーム部収容溝４１は、一対のソケット１０間に上下に貫通する溝を形成してなるものであり、入力腕３７を起立させたとき入力腕３７と出力腕３８の一部を収容するようになっている。
【００５２】
次に本実施の形態の作用を述べる。
【００５３】
図１７及び図１９に示すように、ケージ７２内にロックされたパッケージ３０をケージ７２から取り外す場合、操作レバー３２のハンドル部３６の上に指先を掛け、前方へ引く。ハンドル部３６はパッケージ本体３３の略全幅に渡って延びるため、様々な角度から指先を掛けることができ、さらに、ハンドル部３６の周囲には操作を邪魔するものがないため、ハンドル部３６に容易に指先を掛けることができる。
【００５４】
起立されていた操作レバー３２の入力腕３７は、図１８及び図２０に示すように枢支軸３４を中心に前方へ倒れるように回動し、前方へ延びていた出力腕３８は枢支軸３４を中心に下方へ回動する。連結軸４０は出力腕３８と共に回動し、ロック部材３９の前端を下げながら後方へ押す。
【００５５】
ロック部材３９は、ピン２３をガイド溝２４に沿わせながら後方へスライドし、ピン２３は斜め上方へ案内される。すなわち、ロック部材３９は前端を下降させながら前後方向の中間を上昇させる。これにより、爪部１５は後方へ移動しながら上昇し、係合穴７８から外れる。そして、操作レバー３２の入力腕３７が完全に倒れ、抜き取り方向に向いたら、図２１に示すようにハンドル部３６をそのまま前方へ引く。これによりケージ７２からパッケージ３０を容易に抜き取ることができる。
【００５６】
ケージ７２にパッケージ３０を装着するときは、予め操作レバー３２を起立させ、ケージ７２内にパッケージ３０を後端側から挿入する。
【００５７】
図１８に示すように、前方に倒れた操作レバー３２を起立させるように回動させると、略鉛直下方を向いていた操作レバー３２の出力腕３８が前方へ回動し、ロック部材３９を前方へ引く。ロック部材３９は、ピン２３をガイド溝２４に沿わせながら前方へスライドし、ピン２３は斜め下方へ案内される。これにより、爪部１５は前方へ移動しながら下降し、係合穴７８内に入る。そして、入力腕３７が完全に起立すると、操作レバー３２はハンドル部３６をパッケージ本体３３に当てて係止される。
【００５８】
このように、ソケット１０間に操作レバー３２を枢支すると、操作レバー３２を簡易で小型なものにでき、パッケージ３０を安価に製作できる。
【００５９】
また、パッケージ本体３３の前端にアーム部３５を収容するアーム部収容溝４１を形成したため、操作レバー３２が光ファイバコネクタの着脱作業の邪魔となるのを防ぐことができる。
【００６０】
他の実施の形態について述べる。
【００６１】
図２２〜図３１に示すパッケージ５０は上述のパッケージ３０の操作レバー３２の形状をさらに変更すると共に、操作レバー３２の変更に対応するようにロック部材３９及びパッケージ本体３３を変更したものである。上述のパッケージ３０と同様の構成・作用効果については説明を省き、相違する点について説明する。
【００６２】
図２２はパッケージ５０を下方から見上げた斜視図であり、図２３は雄側ロック機構５１を上方から見下ろした斜視図であり、図２４は図２２のパッケージ５０を上方から見下ろした斜視図である。
【００６３】
図２２及び図２３に示すように、操作レバー５２は、一対のソケット１０間に幅方向に延びる軸（枢支軸）５３回り回動可能に支持されたアーム部５４と、アーム部５４の回動先端から枢支軸５３方向へ延び手動操作を受けるためのハンドル部５５とからなり、正面視Ｔ字状に形成されている。
【００６４】
アーム部５４は、直線状に形成されており、長手方向の中間を枢支軸５３に支持されている。具体的には、アーム部５４は、枢支軸５３から上方に延びハンドル部５５に接続される入力腕５６と、枢支軸５３から下方に延び下端にロック部材５７を回動可能に連結される出力腕５８とからなる。
【００６５】
ハンドル部５５は、パッケージ本体５９の略全幅に渡って延びるように長尺に形成されると共に前端を上側に折り返して形成されており、様々な角度から指先を掛けられるようになっている。また、操作レバー５２は、ハンドル部５５をパッケージ本体５９に当てて回動を規制されるように位置決めされており、ハンドル部５５を直接パッケージ本体５９に当てて操作時に受ける力を逃がすようになっている。
【００６６】
ロック部材５７は、アーム部５４の下端を両側から挟むように前端部を二股に形成されており、幅方向に延びる連結軸６０を介してアーム部５４の下端に回動自在に連結されている。
【００６７】
図２２、図２４、図２５及び図２６に示すように、パッケージ本体５９は、左右のソケット１０間にアーム部５４を揺動可能に収容するためのアーム部収容穴６１を有する。アーム部収容穴６１は、アーム部５４の上端をパッケージ本体５９から突出させつつアーム部５４を前後方向に傾動可能に収容するように前後に延びつつ上下に貫通するように形成されており、上下方向の中間位置に枢支軸５３を支持するようになっている。また、アーム部収容穴６１は、パッケージ本体５９の下部にてロック部材５７を前後スライド可能に収容するロック部材収容溝６２に接続されている。ロック部材収容溝６２は、パッケージ本体５９の前後方向の中間位置に下方に開口するように形成されており、前端を閉じられている。
次に本実施の形態の作用を述べる。
【００６８】
図２７及び図２９に示すように、ケージ７２内にロックされたパッケージ５０をケージ７２から取り外す場合、操作レバー５２のハンドル部５５の上に指先を掛け、前方へ引く。ハンドル部５５はパッケージ本体５９の略全幅に渡って延びるため、様々な角度から指先を掛けることができ、さらに、ハンドル部５５の周囲には操作を邪魔するものがないため、ハンドル部５５に容易に指先を掛けることができる。
【００６９】
操作レバー５２の入力腕５６は、図２８及び図３０に示すように枢支軸５３を中心に前方へ回動し、出力腕５８は枢支軸５３を中心に後方に回動する。連結軸６０は出力腕５８と共に回動し、ロック部材５７の前端を後方へ押す。
【００７０】
ロック部材５７は、ピン２３をガイド溝６３に沿わせながら後方へスライドし、ピン２３は斜め上方へ案内される。すなわち、ロック部材５７は前端を振り子状に揺動させながら前後方向の中間を上昇させる。これにより、爪部１５は後方へ移動しながら上昇し、係合穴７８から外れる。そして、操作レバー５２は、パッケージ本体５９の上面にハンドル部５５を当てることで回動を規制される。このとき、ハンドル部５５は前端側を折り返されているため、重心を枢支軸５３の前側に移動させ、パッケージ本体５９上に載置された状態で止まる。ハンドル部５５をそのまま前方へ引くことで、図３１に示すようにケージ７２からパッケージ５０を容易に抜き取ることができる。
【００７１】
ケージ７２にパッケージ５０を装着するときは、予め操作レバー５２を後方へ倒し、ケージ７２内にパッケージ５０を後端側から挿入する。
【００７２】
図２８に示すように、操作レバー５２を後方へ倒すと、操作レバー５２の出力腕５８が前方へ回動し、ロック部材５７を前方へ引く。ロック部材５７は、ピン２３をガイド溝６３に沿わせながら前方へスライドし、ピン２３は斜め下方へ案内される。これにより、爪部１５は前方へ移動しながら下降し、係合穴７８内に入る。そして、ハンドル部５５がパッケージ本体５９の上面に当たることで操作レバー５２は回動を規制されて止まる。
【００７３】
このように、操作レバー５２を直線状に延びるように形成すると共に操作レバー５２の中間を枢支し、一端側にロック部材５７を回動可能に連結すると共に他端側にハンドル部５５を形成したため、比較的小さな操作量（回動量）でロックを解除でき、ハンドル部５５を前方に引くだけでロック解除操作とパッケージ５０の取り出し操作とを一括して行うことができる。
【００７４】
また特に、操作レバー５２は力のかかるハンドル部５５を直接パッケージ本体５９に当てて回動を規制されるため、アーム部５４及び枢支軸５３に大きな力がかかるのを確実に防ぐことができ、手荒い操作による操作レバー５２の破損、変形等を防ぐことができる。
【００７５】
【発明の効果】
以上要するに本発明によれば、次のような優れた効果を奏する。
（１）ケージに対するロック解除を容易にでき、容易にケージから取り外すことができる。
（２）安価に製作できる。
【図面の簡単な説明】
【図１】本発明の好適実施の形態を示すロック状態のロック機構付きパッケージの斜視図である。
【図２】ロック状態の雄側ロック機構の概略説明図である。
【図３】ロック状態のロック機構付きパッケージの斜視図である。
【図４】ロックを解除した状態のロック機構付きパッケージの斜視図である。
【図５】ロックを解除した状態のロック機構付きパッケージの斜視図である。
【図６】ロック状態のロック機構付きパッケージの側断面図である。
【図７】ロックを解除した状態のロック機構付きパッケージの側断面図である。
【図８】通信機器にロックした状態のロック機構付きパッケージの側断面図である。
【図９】通信機器からロック解除した状態のロック機構付きパッケージの側断面図である。
【図１０】通信機器から取り外し中のロック機構付きパッケージの側断面図である。
【図１１】ロック機構付きパッケージを装着した通信機器の斜視図である。
【図１２】他の実施の形態を示すロック状態のロック機構付きパッケージの斜視図である。
【図１３】他の実施の形態を示すロック状態の雄側ロック機構の概略説明図である。
【図１４】他の実施の形態を示すロック状態のロック機構付きパッケージの斜視図である。
【図１５】他の実施の形態を示すロックを解除した状態のロック機構付きパッケージの斜視図である。
【図１６】他の実施の形態を示すロックを解除した状態のロック機構付きパッケージの斜視図である。
【図１７】他の実施の形態を示すロック状態のロック機構付きパッケージの側断面図である。
【図１８】他の実施の形態を示すロックを解除した状態のロック機構付きパッケージの側断面図である。
【図１９】他の実施の形態を示す通信機器にロックした状態のロック機構付きパッケージの側断面図である。
【図２０】他の実施の形態を示す通信機器からロック解除した状態のロック機構付きパッケージの側断面図である。
【図２１】他の実施の形態を示す通信機器から取り外し中のロック機構付きパッケージの側断面図である。
【図２２】他の実施の形態を示すロック状態のロック機構付きパッケージの斜視図である。
【図２３】他の実施の形態を示すロック状態の雄側ロック機構の概略説明図である。
【図２４】他の実施の形態を示すロック状態のロック機構付きパッケージの斜視図である。
【図２５】他の実施の形態を示すロックを解除した状態のロック機構付きパッケージの斜視図である。
【図２６】他の実施の形態を示すロックを解除した状態のロック機構付きパッケージの斜視図である。
【図２７】他の実施の形態を示すロック状態のロック機構付きパッケージの側断面図である。
【図２８】他の実施の形態を示すロックを解除した状態のロック機構付きパッケージの側断面図である。
【図２９】他の実施の形態を示す通信機器にロックした状態のロック機構付きパッケージの側断面図である。
【図３０】他の実施の形態を示す通信機器からロック解除した状態のロック機構付きパッケージの側断面図である。
【図３１】他の実施の形態を示す通信機器から取り外し中のロック機構付きパッケージの側断面図である。
【図３２】従来のロック機構付きパッケージの斜視図である。
【図３３】従来のロック機構付きパッケージの斜視図である。
【図３４】従来のロック機構付きパッケージの斜視図である。
【図３５】従来のロック機構付きパッケージを利用した通信機器の側断面図である。
【図３６】従来のロック機構付きパッケージの側断面図である。
【符号の説明】
７  パッケージ本体
１０  ソケット
１１  ロック部材
１３  枢支軸
１４  操作レバー
１５  爪部
１６  スライドガイド
１９  ハンドル部
２３  ピン
２４  ガイド溝
３２  操作レバー
３３  パッケージ本体
３６  ハンドル部
３９  ロック部材
５２  操作レバー
５３  枢支軸
５５  ハンドル部
５７  ロック部材
５９  パッケージ本体
７２  ケージ
【図１】
2004271950.tif 000003
【図２】
2004271950.tif 000004
【図３】
2004271950.tif 000005
【図４】
2004271950.tif 000006
【図５】
2004271950.tif 000007
【図６】
2004271950.tif 000008
【図７】
2004271950.tif 000009
【図８】
2004271950.tif 000010
【図９】
2004271950.tif 000011
【図１０】
2004271950.tif 000012
【図１１】
2004271950.tif 000013
【図１２】
2004271950.tif 000014
【図１３】
2004271950.tif 000015
【図１４】
2004271950.tif 000016
【図１５】
2004271950.tif 000017
【図１６】
2004271950.tif 000018
【図１７】
2004271950.tif 000019
【図１８】
2004271950.tif 000020
【図１９】
2004271950.tif 000021
【図２０】
2004271950.tif 000022
【図２１】
2004271950.tif 000023
【図２２】
2004271950.tif 000024
【図２３】
2004271950.tif 000025
【図２４】
2004271950.tif 000026
【図２５】
2004271950.tif 000027
【図２６】
2004271950.tif 000028
【図２７】
2004271950.tif 000029
【図２８】
2004271950.tif 000030
【図２９】
2004271950.tif 000031
【図３０】
2004271950.tif 000032
【図３１】
2004271950.tif 000033
【図３２】
2004271950.tif 000034
【図３３】
2004271950.tif 000035
【図３４】
2004271950.tif 000036
【図３５】
2004271950.tif 000037
【図３６】
2004271950.tif 000038